(57)【要約】【課題】基板の板厚方向について効果的に固定すること。【解決手段】筐体１０は、各種電子部品が実装される基板４０と、基板を開口部２１から空洞内に収容するケース２０と、ケース２０の開口部２１をふたするカバー３０と、を備える。ケース２０の各側壁部２５には、開口側ガイド部１０１、閉口側ガイド部１０２、及びガイド溝部１０３を形成した。また、ケース２０の各側壁部２５の開口側ガイド部１０１及びガイド溝部１０３の間の隙間Ｌ２は、閉口側ガイド部１０２及びガイド溝部１０３の間の隙間Ｌ１に比べて大きく形成した。そして、カバー３０には、ケース２０の開口部２１をふたすることでケース２０の各側壁部２５の開口側ガイド部１０１及びガイド溝部１０３の間の隙間を詰める隙間調整部２００（第１調整部２０１及び第２調整部２０２）を形成するようにした。【選択図】図３
2015233087.tif 000002
【特許請求の範囲】
【請求項１】
電子部品が実装される基板と、
一方向に開口する開口部及び前記基板を収容可能な空洞が形成されたケースと、
前記ケースの前記開口部をふたするカバーと、を備えた筐体において、
前記ケースは、前記開口部の奥に位置する閉口部と、前記開口部の幅方向両側において前記開口部から前記閉口部に向かって延びる各側壁部を有し、
前記各側壁部には、前記基板の幅方向及び板厚方向に前記基板を位置決めするとともに前記基板の板厚方向から前記基板を挟むように配置される位置決め部が前記開口部近傍及び前記閉口部近傍のそれぞれに形成され、
前記ケースの各側壁部の前記開口部近傍に形成される前記位置決め部の前記基板の板厚方向の隙間は、前記閉口部近傍に形成される前記位置決め部の前記基板の板厚方向の隙間に比べて大きく形成され、
前記カバーには、前記ケースの前記開口部をふたすることで前記ケースの各側壁部の前記開口部近傍に形成される前記位置決め部の前記基板の板厚方向の隙間を詰める隙間調整部が形成される筐体。
【請求項２】
前記隙間調整部は、前記基板の板厚方向から前記基板を挟むように配置される請求項１に記載の筐体。
【請求項３】
前記隙間調整部の前記ケースの前記開口部側は、前記ケースの前記開口部近傍に形成される前記位置決め部の隙間に侵入可能な寸法に設定される請求項２に記載の筐体。
【請求項４】
前記隙間調整部は、前記開口部近傍に形成される前記位置決め部の前記基板の板厚方向の隙間にしまりばめされる請求項１〜請求項３のうちいずれか一項に記載の筐体。
【発明の詳細な説明】
【技術分野】
【０００１】
本発明は、筐体に関する。
【背景技術】
【０００２】
従来、電子部品を実装した基板を保持するのに、基板の幅方向を位置決めして固定するようにした筐体がある。このような筐体としては、例えば、特許文献１に記載の基板を開口部から収容するケースと、ケースの開口部をふたするカバーとを備えた筐体がある。
【０００３】
特許文献１の筐体では、特に第３の実施形態として開示されるように、ケースの開口部側がその奥の閉口部側に比べて広く形成され、ケースの開口部側の内部の側面と基板の側面との間に隙間が形成される。また、カバーには、ケースの開口部側の内部の側面と基板の側面との間の隙間を詰めるための隙間調整部が形成される。そして、カバーの隙間調整部がケースの開口部側の内部の側面と基板の側面との間の隙間に挿入されることで、ケースに対して基板の幅方向が固定される。また、カバーに形成される垂直位置決め部が基板の板厚方向を挟持することで、ケースの開口部側にて基板の板厚方向が固定される。
【先行技術文献】
【特許文献】
【０００４】
【特許文献１】特開２００６−１９６７４号公報（段落［００８５］〜［００９２］、［図６］、［図７（ａ）］、及び［図７（ｂ）］）
【発明の概要】
【発明が解決しようとする課題】
【０００５】
しかしながら、特許文献１では、基板の板厚方向の固定については、ケースの開口部側でしかなされておらず、ケースの閉口部側では固定という面で十分と言うことができない。
【０００６】
この点、特許文献１の第３実施形態の断面図（特に、特許文献１の［図７（ｂ）］）に示されるように、ケースの内部空間を埋めて基板の板厚方向の間隔を詰めることで、ケースの閉口部側での基板の板厚方向の固定をなそうとも捉えることができる。そして、このようにケースの内部空間を埋めてしまうのであれば、基板に実装される電子部品によってはケースの内部に当たってしまう等の懸念がある。
【０００７】
本発明は、このような実情に鑑みてなされたものであり、その目的は、基板の板厚方向について効果的に固定することのできる筐体を提供することにある。
【課題を解決するための手段】
【０００８】
上記課題を解決する筐体は、電子部品が実装される基板と、一方向に開口する開口部及び基板を収容可能な空洞が形成されたケースと、ケースの開口部をふたするカバーと、を備えている。また、筐体において、ケースは、開口部の奥に位置する閉口部と、開口部の幅方向両側において開口部から閉口部に向かって延びる各側壁部を有している。そして、各側壁部には、基板の幅方向及び板厚方向に基板を位置決めするとともに基板の板厚方向から基板を挟むように配置される位置決め部が開口部近傍及び閉口部近傍のそれぞれに形成され、ケースの各側壁部の開口部近傍に形成される位置決め部の基板の板厚方向の隙間は、閉口部近傍に形成される位置決め部の基板の板厚方向の隙間に比べて大きく形成され、カバーには、ケースの開口部をふたすることでケースの各側壁部の開口部側に形成される位置決め部の基板の板厚方向の隙間を詰める隙間調整部が形成されるようにしている。
【０００９】
この構成によれば、ケースの開口部から空洞内に基板を収容することで、まず基板がケースの開口部近傍及び閉口部近傍に形成される位置決め部によりケースに対して位置決めされるようになる。もっとも、ケースの開口部近傍に形成される位置決め部については、その位置決め部の隙間がケースの閉口部近傍に形成される位置決め部に比べて大きいので、カバーでケースの開口部をふたしない状態であると基板の位置決めが十分でない。そこで、上記構成では、カバーでケースの開口部をふたすることでケースの開口部近傍に形成される位置決め部の基板の板厚方向の隙間を詰めるようにし、ケースの閉口部側だけでなくケースの開口部側についても基板の位置決めがなされるようになる。これにより、基板の位置決め、特に基板の板厚方向の位置決めに対してケースの空洞内に制限を設ける必要もなくなり、基板に実装される電子部品の選択の自由度も拡げられるようになる。したがって、基板の板厚方向について効果的に固定することができる。
【００１０】
また、上記構成によれば、基板の位置決めに対しては、板厚方向ではなく幅方向の面における摩擦力を作用させることになる。一般に、基板であれば板厚方向に比べて幅方向の表面積が大きいので、基板の位置決め、すなわち固定に摩擦力を作用させる際、より大きな摩擦力を作用させることができるようになる。したがって、基板の板厚方向について効果的に固定することができる。
【００１１】
こういった筐体において、隙間調整部は、基板の板厚方向から基板を挟むように配置されることが好ましい。
この構成によれば、基板の位置決めの際、基板の板厚方向の両側から基板を位置決めすることができるようになる。したがって、基板の板厚方向について効果的に固定することができる。
【００１２】
また、こういった筐体において、隙間調整部のケースの開口部側は、ケースの開口部近傍に形成される位置決め部の隙間に侵入可能な寸法に設定されることが好ましい。
この構成によれば、カバーでケースをふたする際、ケースの開口部近傍に形成される位置決め部の隙間に隙間調整部のケースの開口部側がまず侵入するようになる。すなわち、隙間調整部のケースの開口部側をケースの開口部近傍に形成される位置決め部の隙間へ侵入させさえすれば、それがカバーでケースをふたする作業のガイドとなる。したがって、筐体を組み立てる際の作業効率を向上させることができる。
【００１３】
また、こういった筐体において、隙間調整部は、開口部近傍に形成される位置決め部の基板の板厚方向の隙間にしまりばめされることが好ましい。
この構成によれば、基板の位置決めの際、ケースの開口部側での基板の板厚方向の固定をより強固にすることができるようになる。したがって、基板の板厚方向について効果的に固定することができる。
【発明の効果】
【００１４】
本発明によれば、基板の板厚方向について効果的に固定することができる。
【図面の簡単な説明】
【００１５】
【図１】筐体の概略構成を示す図。
【図２】コネクタ嵌合時の筐体の概略構成を示す図。
【図３】図２の３−３線断面図。
【図４】図２の４−４線断面図。
【発明を実施するための形態】
【００１６】
以下、筐体の一実施形態を説明する。
図１に示すように、筐体１０は、例えば、車載用のＥＣＵケースとして使用される。筐体１０は、一方向に開口する開口部２１を有するとともに段部２２を有する箱状のケース２０を備える。筐体１０は、一方向に開口する開口部３１を有するとともに壁の一部を四角状に切り抜いた切抜部３２を有する箱状のカバー３０を備える。なお、ケース２０及びカバー３０は、合成樹脂材料からなる。
【００１７】
ケース２０の段部２２及び段部２２に対向する平部２３には、ケース２０を貫通する係合部２４が２つずつ形成される。段部２２及び平部２３は、筐体における開口部２１に対向する奥に位置する閉口部２６と、開口部２１の幅方向両側において開口部２１から閉口部２６に向かって延びる側壁部２５とにより連結される。段部２２、平部２３、側壁部２５、及び閉口部２６により囲まれるケース２０の内部は空洞とされ、その空洞内には合成樹脂材料からなる基板４０が収容される。基板４０は、その側面が各側壁部２５に対向して収容される。なお、各側壁部２５の内側には、基板４０をその幅方向及び板厚方向の位置決めを行う位置決め部１００がそれぞれ形成される。位置決め部１００については後で詳しく説明する。
【００１８】
基板４０には、筐体１０の外部の各種装置と電気的な接続を可能にするコネクタ５０と、コンデンサ、抵抗等といった各種電子部品６０が実装される。コネクタ５０は、筐体１０の外部の各種装置と電気的に接続される接続部５１がケース２０の開口部２１から外部に突出する。
【００１９】
カバー３０は、切抜部３２が形成される壁部３３と、壁部３３から立設される周壁部３４ａ，３４ｂ，３４ｃとを備える。切抜部３２は、その切り抜いた部分に接続部５１が挿入可能な大きさに設定される。周壁部３４ａ〜３４ｃのうち切抜部３２がおよぶ周壁部３４ａに対向する周壁部３４ｂには、ケース２０の段部２２及び平部２３の各係合部２４に対応する位置に係合突部３５が２つずつ形成される。また、切抜部３２には、ヒンジ部３６を介してケーブル固定部３７を有する板片３８が回動可能に連結される。なお、カバー３０の周壁部３４ａ〜３４ｃの内側には、ケース２０の位置決め部１００と協働して基板４０の位置決めと固定を行う隙間調整部２００が形成される。隙間調整部２００については後で詳しく説明する。
【００２０】
図２に示すように、ケース２０の空洞内に基板４０を収容した状態で、ケース２０に対してカバー３０を開口部３１側から装着してケース２０の開口部２１をふたする。すると、後述するケース２０の位置決め部１００とカバー３０の隙間調整部２００との協働により基板４０がケース２０の空洞内に固定される。その際、各係合部２４及び各係合突部３５の係合を通じてケース２０及びカバー３０が一体に保持される。カバー３０の切抜部３２から突出するコネクタ５０の接続部５１には、ケーブル付コネクタ５２が接続される。その際、ケーブル付コネクタ５２は、ケーブル固定部３７に挟持される。
【００２１】
ここで、ケース２０の位置決め部１００の構成について詳しく説明する。
図３及び図４に示すように、ケース２０の開口部２１をふたした状態において、ケース２０の各側壁部２５には、位置決め部１００を構成する開口側ガイド部１０１、閉口側ガイド部１０２、及びガイド溝部１０３がそれぞれ形成される。
【００２２】
具体的に、図３に示すように、ケース２０の各側壁部２５の開口部２１近傍であって、各側壁部２５及び開口部２１が交差する角には、その内側に向かって突出する板状の開口側ガイド部１０１がそれぞれ形成される。各側壁部２５の開口側ガイド部１０１は、基板４０の幅と略同じ間隔に設定される各側壁部２５の間で互いに対向する。
【００２３】
また、ケース２０の各側壁部２５の閉口部２６近傍であって、各側壁部２５及び閉口部２６が交差する角には、その内側に向かって突出する板状の閉口側ガイド部１０２がそれぞれ形成される。各側壁部２５の閉口側ガイド部１０２は、基板４０の幅と略同じ間隔に設定される各側壁部２５の間で互いに対向する。
【００２４】
各側壁部２５の開口側ガイド部１０１及び閉口側ガイド部１０２は、仮想線Ｙの間で連続しているとすると、ケース２０の開口部２１から閉口部２６に向かう程、平部２３に近付く傾斜をなす。
【００２５】
各開口側ガイド部１０１及び各閉口側ガイド部１０２が突出する長さは、ケース２０に基板４０が収容される場合に、基板４０に実装される各種電子部品６０に接触しない長さに設定される。開口側ガイド部１０１及び閉口側ガイド部１０２は、ケース２０に基板４０が収容される場合に、基板４０に各種電子部品６０が実装される面側の空洞の体積が大きくなるように、段部２２に比べて平部２３よりの配置をなす。
【００２６】
また、各側壁部２５の開口側ガイド部１０１及び閉口側ガイド部１０２の平部２３側には、板状のガイド溝部１０３がそれぞれ形成される。各側壁部２５のガイド溝部１０３は、基板４０の幅と略同じ間隔に設定される各側壁部２５の間で互いに対向するとともに、ケース２０の開口部２１近傍であって、各側壁部２５及び開口部２１が交差する角から、閉口部２６近傍であって、各側壁部２５及び閉口部２６が交差する角に亘って連続的に形成される。各ガイド溝部１０３は、ケース２０の開口部２１から閉口部２６に向かう程、段部２２に近付く傾斜をなす。本実施形態において、開口部２１近傍、及び閉口部２６近傍とは、基板４０をその幅方向及び板厚方向に位置決めするのに支障ない範囲として定義される。そして、開口部２１近傍とは、閉口部２６よりも開口部２１に寄った位置を少なくとも意味する。また、閉口部２６近傍とは、開口部２１よりも閉口部２６に寄った位置を少なくとも意味する。
【００２７】
各ガイド溝部１０３が突出する長さは、ケース２０に基板４０が収容される場合に、基板４０に実装される各種電子部品６０に接触しない長さであって、開口側ガイド部１０１及び閉口側ガイド部１０２が突出する長さと略同じに設定される。各ガイド溝部１０３の基板４０に対する傾斜の勾配は、開口側ガイド部１０１及び閉口側ガイド部１０２が仮想線Ｙの間で連続しているとする場合の基板４０に対する傾斜の勾配と正負の関係をなす。
【００２８】
図３及び図４に示すように、各側壁部２５の開口側ガイド部１０１、閉口側ガイド部１０２、及びガイド溝部１０３は、基板４０を板厚方向に挟むように配置される。各側壁部２５の開口側ガイド部１０１及びガイド溝部１０３の開口部２１側の隙間Ｌ２は、各側壁部２５の閉口側ガイド部１０２及びガイド溝部１０３の閉口部２６側との隙間Ｌ１に比べて大きく設定される。この隙間Ｌ１は、基板４０の板厚と略同じに設定される。
【００２９】
このため、各側壁部２５の閉口側ガイド部１０２及びガイド溝部１０３との間は、基板４０の厚さに比べて大きい部分を含み、ケース２０の開口部２１から閉口部２６に向かう程、小さく設定される。
【００３０】
図３及び図４に示すように、カバー３０の壁部３３には、隙間調整部２００を構成する第１調整部２０１、及び第２調整部２０２がそれぞれ形成される。
具体的に、図３に示すように、カバー３０の壁部３３には、壁部３３からケース２０（開口部２１）に向かって突出する爪状の複数（本実施形態では、２つ）の第１調整部２０１が基板４０の幅方向に並んで形成される。なお、各第１調整部２０１が突出する長さは、カバー３０内に収まる長さに設定される。
【００３１】
各第１調整部２０１は、その開口側ガイド部１０１側が基端２０１ａから先端２０１ｂに向かって先細に形成される。各第１調整部２０１の開口側ガイド部１０１側には、基端２０１ａから先端２０１ｂに向かう程、開口側ガイド部１０１から遠ざかるように傾斜をなす傾斜部２０１ｃが形成される。また、各第１調整部２０１は、その基板４０側が基板４０の板厚方向に比べて大きい表面積となる幅方向の面で当接する。各第１調整部２０１及び基板４０の幅方向の面の当接を通じては、これらの間に摩擦力が作用し、基板４０の固定に寄与する。
【００３２】
また、カバー３０の壁部３３であって、第１調整部２０１の平部２３側には、壁部３３からケース２０（開口部２１）に向かって突出する爪状の複数（本実施形態では、２つ）の第２調整部２０２が基板４０の幅方向に並んで形成される。なお、各第２調整部２０２が突出する長さは、カバー３０内に収まる長さに設定される。
【００３３】
各第２調整部２０２は、そのガイド溝部１０３側が基端２０２ａから先端２０２ｂに向かって先細に形成される。各第２調整部２０２のガイド溝部１０３側には、基端２０２ａから先端２０２ｂに向かう程、ガイド溝部１０３から遠ざかるように傾斜をなす傾斜部２０２ｃが形成される。また、各第２調整部２０２は、その基板４０側が基板４０の板厚方向に比べて大きい表面積となる幅方向の面で当接する。各第２調整部２０２及び基板４０の幅方向の面の当接を通じては、これらの間に摩擦力が作用し、基板４０の固定に寄与する。
【００３４】
また、図４に示すように、各第１調整部２０１は、各開口側ガイド部１０１と基板４０との間に位置するように、各周壁部３４ｃからケース２０の各側壁部２５の厚み分だけ離間して形成される。また、各第１調整部２０１は、互いの対向面が各開口側ガイド部１０１における互いの対向面と面一に設定される。
【００３５】
また、各第２調整部２０２は、各ガイド溝部１０３と基板４０との間に位置するように、各周壁部３４ｃからケース２０の各側壁部２５の厚み分だけ離間して形成される。また、各第２調整部２０２は、互いの対向面が各ガイド溝部１０３における互いの対向面と面一となるように形成される。
【００３６】
図３及び図４に示すように、各調整部２０１，２０２は、基板４０を板厚方向に挟むように配置される。各調整部２０１，２０２の先端２０１ｂ，２０２ｂの隙間Ｌ３は、閉口側ガイド部１０２及びガイド溝部１０３の隙間Ｌ１であって、基板４０の板厚と略同じに設定される。また、各調整部２０１，２０２の基端２０１ａ，２０２ａの間隔Ｌ４は、開口側ガイド部１０１及びガイド溝部１０３の隙間Ｌ２と略同じに設定される。
【００３７】
このため、第１調整部２０１の傾斜部２０１ｃの基板４０に対する傾斜の勾配は、開口側ガイド部１０１及び閉口側ガイド部１０２を仮想線Ｙの間で連結するようにした場合の基板４０に対する傾斜の勾配に比べて急勾配に設定される。また、第２調整部２０２の傾斜部２０２ｃの基板４０に対する傾斜の勾配は、ガイド溝部１０３の基板４０に対する傾斜の勾配に比べて急勾配に設定される。
【００３８】
また、図３及び図４の二点鎖線に示すように、ケース２０の開口部２１をふたしない状態において、各調整部２０１，２０２の先端２０１ｂ，２０２ｂの隙間Ｌ３´は、ケース２０の開口部２１をふたした状態における隙間Ｌ３に比べて大きく、基板４０の板厚よりも大きく設定される。また、ケース２０の開口部２１をふたしない状態において、各調整部２０１，２０２の基端２０１ａ，２０２ａの間隔Ｌ４´は、ケース２０の開口部２１をふたした状態における間隔Ｌ４に比べて大きく、開口側ガイド部１０１及びガイド溝部１０３の隙間よりも大きく設定される。すなわち、第１調整部２０１の基端２０１ａは、その基板４０の板厚方向の厚さが開口側ガイド部１０１及び基板４０の隙間に比べて大きい。また、第２調整部２０２の基端２０２ａは、その基板４０の板厚方向の厚さがガイド溝部１０３及び基板４０の開口部２１側の隙間に比べて大きい。
【００３９】
また、ケース２０の開口部２１をふたしない状態において、各調整部２０１，２０２の先端２０１ｂ，２０２ｂの隙間Ｌ３´は、基板４０の板厚よりも大きい、且つケース２０の開口側ガイド部１０１及びガイド溝部１０３の隙間Ｌ２よりも小さく設定される。
【００４０】
以上に説明した筐体１０によれば、以下の（１）〜（５）に示す作用及び効果を奏する。
（１）筐体１０を組み立てる場合、ケース２０の開口部２１から閉口部２６に向かって基板４０を挿入することで、ケース２０の空洞内に基板４０を収容する。すなわち、基板４０は、閉口部２６に到達して閉口側ガイド部１０２及びガイド溝部１０３の間に挟持される。その際、基板４０は、コネクタ５０が開口部２１側を向いて挿入される。
【００４１】
これにより、各側壁部２５の閉口部２６側では、閉口側ガイド部１０２及びガイド溝部１０３の間に隙間なく基板４０が収容される。一方、各側壁部２５の開口部２１側では、開口側ガイド部１０１及びガイド溝部１０３の間に隙間を有して基板４０が収容され、カバー３０でケース２０の開口部２１をふたしない状態で基板４０が板厚方向に動作（振動）可能に収容される。なお、基板４０の幅方向の位置決めについては、ケース２０の各側壁部２５によりなされる。
【００４２】
このため、まず基板４０がケース２０の各開口側ガイド部１０１、各閉口側ガイド部１０２、及び各ガイド溝部１０３によりケース２０に対して位置決めされるようになる。特に、ケース２０の閉口部２６側については、各閉口側ガイド部１０２及び各ガイド溝部１０３の間に基板４０が挟持されて固定される。
【００４３】
もっとも、ケース２０の開口部２１側の隙間Ｌ２が、ケース２０の閉口部２６側の隙間Ｌ１に比べて大きいので、ケース２０の開口部２１をふたしない状態であると基板４０の閉口部２６側が固定されずフリーとなり、基板４０の位置決め、そして固定が十分に行われない。
【００４４】
そこで、続いて、カバー３０でケース２０の開口部２１をふたすることで、各第１調整部２０１の先端２０１ｂを開口側ガイド部１０１及び基板４０の間に侵入（挿通）させるとともに、各第２調整部２０２の先端２０２ｂをガイド溝部１０３及び基板４０の間に侵入（挿通）させる。すなわち、各第１調整部２０１が開口側ガイド部１０１及び基板４０の隙間を詰めるとともに、各第２調整部２０２がガイド溝部１０３及び基板４０の隙間を詰めるようにし、ケース２０の閉口部２６側だけでなくケース２０の開口部２１側についても基板４０の位置決めがなされるようになる。また、各調整部２０１，２０２は、基板４０を板厚方向に挟むように配置されるので、位置決めが基板４０の板厚方向の両側から挟んでなされる。
【００４５】
これにより、基板４０の位置決め、特に基板４０の板厚方向の位置決めに対してケース２０の空洞内に制限を設ける必要もなくなり、基板４０に実装される各種電子部品６０の選択の自由度も拡げられるようになる。したがって、基板４０の板厚方向についてより効果的に固定することができる。
【００４６】
（２）また、上記構成によれば、基板４０の位置決めに対しては、基板４０の板厚方向ではなく幅方向の面における摩擦力を作用させることになる。一般に、基板であれば板厚方向に比べて幅方向の表面積が大きいので、基板４０の位置決め、すなわち固定に摩擦力を作用させる際、より大きな摩擦力を作用させることができるようになる。したがって、基板４０の板厚方向について効果的に固定することができる。
【００４７】
（３）各調整部２０１，２０２の先端２０１ｂ，２０２ｂの隙間Ｌ３´は、基板４０の板厚よりも大きい、且つケース２０の開口側ガイド部１０１及びガイド溝部１０３の隙間Ｌ２よりも小さく設定される。これにより、各第１調整部２０１の先端２０１ｂは、開口側ガイド部１０１及び基板４０の隙間に侵入可能に設定される。また、各第２調整部２０２の先端２０２ｂは、ガイド溝部１０３及び基板４０との隙間に侵入可能に設定される。
【００４８】
そして、筐体１０を組み立てる場合、各開口側ガイド部１０１及び基板４０の間に各先端２０１ｂが侵入するとともに、各ガイド溝部１０３及び基板４０の間に各先端２０２ｂが侵入するようになる。すなわち、各調整部２０１，２０２の先端２０１ｂ，２０２ｂを各開口側ガイド部１０１又は各ガイド溝部１０３に関わるそれぞれの隙間へ侵入させさえすれば、それがカバー３０でケース２０の開口部２１をふたする作業のガイドとなる。したがって、筐体１０を組み立てる際の作業効率を向上させることができる。
【００４９】
（４）本実施形態では、第１調整部２０１の基端２０１ａの基板４０の板厚方向の厚さを開口側ガイド部１０１及び基板４０の隙間に比べて大きくしている。また、本実施形態では、第２調整部２０２の基端２０２ａの基板４０の板厚方向の厚さをガイド溝部１０３及び基板４０の開口部２１側の隙間に比べて大きくしている。また、本実施形態では、各調整部２０１，２０２の傾斜部２０１ｃ，２０２ｃの基板４０に対する傾斜の勾配をそれぞれに対向する位置決め部１００の基板４０に対する傾斜の勾配に比べて急勾配にしている。
【００５０】
これにより、カバー３０でケース２０の開口部２１をふたすることで、各第１調整部２０１の基端２０１ａが開口側ガイド部１０１及び基板４０の間にしまりばめされるとともに、各第２調整部２０２の基端２０２ａがガイド溝部１０３及び基板４０の開口部２１側の間にしまりばめされる。すなわち、各調整部２０１，２０２の基端２０１ａ，２０２ａが開口側ガイド部１０１及びガイド溝部１０３の間に基板４０を挟んでしまりばめされるようになる。このため、基板４０の位置決めの際、ケース２０の開口部２１側での基板４０の板厚方向の固定をより強固にすることができるようになる。したがって、基板４０の板厚方向について効果的に固定することができる。
【００５１】
（５）上述したように、しまりばめされる際、基板４０は、閉口部２６側にさらに押し付けられもする。これにより、基板４０の位置決めに対しては、基板４０の幅方向の面に対してより大きな摩擦力を作用させることができるようになる。したがって、基板４０の板厚方向についてより効果的に固定することができる。
【００５２】
なお、上記実施形態は、これを適宜変更した以下の形態にて実施することもできる。
・各調整部２０１，２０２は、ケース２０の開口部２１をふたすることで、開口側ガイド部１０１及びガイド溝部１０３により基板４０側に押し付けられていればよく、間に部材を介在させて各調整部２０１，２０２を開口側ガイド部１０１及びガイド溝部１０３が基板４０側に押し付けることもできる。
【００５３】
・ケース２０の開口部２１をふたしない状態において、各調整部２０２，２０２の先端２０１ｂ，２０２ｂの隙間Ｌ３´を基板４０の板厚よりも小さくすることで、基板４０の固定を維持可能にしてもよい。
【００５４】
・ケース２０の開口部２１をふたしない状態において、各調整部２０１，２０２の先端２０１ｂ，２０２ｂの隙間Ｌ３´は、各側壁部２５の開口側ガイド部１０１及びガイド溝部１０３の隙間Ｌ２よりも大きくしてもよい。ケース２０の開口部２１をふたする際には、各調整部２０１，２０２の先端２０１ｂ，２０２ｂが近接するように弾性変形を伴わせるようにすればよい。
【００５５】
・本実施形態では、開口側ガイド部１０１又はガイド溝部１０３と基板４０の何れの隙間も隙間調整部２００で詰めるようにしたが、これら何れかの隙間のみを隙間調整部２００で詰めるようにしてもよい。すなわち、各調整部２０１，２０２の何れかのみ形成すればよい。
【００５６】
・各調整部２０１，２０２は、カバー３０がケース２０の開口部２１をふたする手法によってはカバー３０から突出する構成とすることもできる。例えば、カバー３０がケース２０の開口部２１をふたする手法として、カバー３０として壁部３３のみを有し壁部３３の周縁を開口部２１の周縁に対して接着剤等で固着する手法等が考えられる。
【００５７】
・ガイド溝部１０３については、連続的に形成されてなくてもよく、所々で区切れていてもよいし、開口側ガイド部１０１及び閉口側ガイド部１０２のように、開口部２１及び閉口部２６側にそれぞれ一つずつ形成されていてもよい。一方、開口側ガイド部１０１及び閉口側ガイド部１０２については、これらが連続的に形成されていてもよい。
【００５８】
・開口側ガイド部１０１及び閉口側ガイド部１０２の配置については、仮想線Ｙの間で連続しているとすると、基板４０に対して平行に配置されていてもよいし、部分的に傾斜や平行に配置されたり、曲線的に配置されたりしてもよい。また、ガイド溝部１０３については、基板４０に対して平行に形成されていてもよいし、部分的に傾斜や平行に配置されたり、曲線的に配置されたりしてもよい。また、開口側ガイド部１０１及び閉口側ガイド部１０２の配置と、ガイド溝部１０３とでは、異なる組み合わせであってもよい。
【００５９】
・開口側ガイド部１０１は、ケース２０の各側壁部２５の開口部２１近傍に形成されていればよく、開口部２１から奥まった位置に形成されていてもよい。また、閉口側ガイド部１０２は、ケース２０の各側壁部２５の閉口部２６近傍に形成されていればよく、閉口部２６から手前の位置に形成されていてもよい。これら同様、ガイド溝部１０３は、開口部２１から奥まった位置から、閉口部２６から手前の位置に亘って連続的に形成されていてもよい。ただし、開口側ガイド部１０１、閉口側ガイド部１０２、及びガイド溝部１０３は、基板４０をその幅方向及び板厚方向に位置決めするのに支障ない位置関係を充足する必要がある。
【００６０】
次に、上記実施形態及び別例（変形例）から把握できる技術的思想について以下に追記する。
（イ）前記ケースの前記閉口部近傍に形成される位置決め部の隙間は、前記基板の板厚と略同一に形成される、又は板厚以下の部分を含むように形成される。この構成によれば、基板の位置決めの際、ケースの閉口部側での基板の板厚方向の固定をより強固にすることができるようになり、基板の板厚方向について効果的に固定することができる。
【符号の説明】
【００６１】
１０…筐体、２０…ケース、２１…開口部、２５…側壁部、２６…閉口部、３０…カバー、４０…基板、６０…電子部品、１００…位置決め部、１０１…開口側ガイド部、１０２…閉口側ガイド部、１０３…ガイド溝部、２００…隙間調整部、２０１…第１調整部、２０１ｂ…先端（第１調整部の開口部側）、２０２…第２調整部、２０２ｂ…先端（第２調整部の開口部側）。
【図１】
2015233087.tif 000003
【図２】
2015233087.tif 000004
【図３】
2015233087.tif 000005
【図４】
2015233087.tif 000006